(57)【要約】      （修正有）【課題】ページデータの作成や管理に係る負担を軽減すると共に面付工程や刷版工程における処理時間を軽減することを可能とする面付装置を提供する。【解決手段】面付装置は、ページ位置４４を複数の分割ページ位置４５に分割して面付テンプレート１９を作成する。面付装置は、この面付テンプレート１９に基づいて、各ページの分割ページ位置４５に分割ページを割り付ける。共通絵柄については、共通絵柄を有する１つの分割ページのページデータを用意して各ページの分割ページ位置４５に割り付ける。これにより、ページデータの管理負担や面付工程や刷版工程における処理負荷や処理時間を軽減させることができる。また、ページデータの作成を分割ページ毎に分業化して効率化を図ることができる。【選択図】図４
2008271277.tif 000002
【特許請求の範囲】
【請求項１】
刷版または用紙に少なくとも１つのページを配置して面付を行う面付装置であって、
前記ページを複数に分割した分割ページの配置位置をページ位置情報として登録するページ位置情報登録手段と、
前記ページ位置情報に基づいて前記複数の分割ページの配置位置を同一ページに並べて設定して面付テンプレートを作成する面付テンプレート作成手段と、
を具備することを特徴とする面付装置。
【請求項２】
前記面付テンプレートの作成結果を表示する面付テンプレート表示手段を具備することを特徴とする請求項１に記載の面付装置。
【請求項３】
前記面付テンプレート上の前記分割ページの配置位置に前記分割ページを割り付けるページ割付手段と、
前記分割ページが割り付けられた前記面付テンプレートに基づいて、刷版イメージデータを作成する刷版イメージデータ作成手段と、
を具備することを特徴とする請求項１または請求項２に記載の面付装置。
【請求項４】
前記刷版イメージデータの作成結果を表示する刷版イメージデータ表示手段を具備することを特徴とする請求項１から請求項３までのいずれかに記載の面付装置。
【請求項５】
刷版または用紙に少なくとも１つのページを配置して面付を行う面付方法であって、
前記ページを複数に分割した分割ページの配置位置をページ位置情報として登録するページ位置情報登録ステップと、
前記ページ位置情報に基づいて前記複数の分割ページの配置位置を同一ページに並べて設定して面付テンプレートを作成する面付テンプレート作成ステップと、
を具備することを特徴とする面付方法。
【請求項６】
コンピュータを、請求項１から請求項４までのいずれかに記載の面付装置として機能させるプログラム。
【請求項７】
コンピュータを、請求項１から請求項４までのいずれかに記載の面付装置として機能させるプログラムを記録したコンピュータ読み取り可能な記録媒体。
【発明の詳細な説明】
【技術分野】
【０００１】
本発明は、オフセット印刷の製版工程や刷版工程における面付処理を行う面付装置に関する。詳細には、刷版や用紙にページを配置したイメージデータである面付テンプレートを作成する面付装置に関する。
【背景技術】
【０００２】
一般に、関連のある複数の店舗についてチラシを作成する場合、各店舗に共通の絵柄（共通絵柄）と各店舗毎に異なる絵柄（差替絵柄）が用いられる。全店共通の絵柄は、例えば、全店共通で取り扱っている商品の画像や価格情報である。各店舗毎に異なる絵柄は、例えば、店舗名や店舗の地図やセール製品に関する記事である。
各店舗のページデータは、ＤＴＰ（Ｄｅｓｋ  Ｔｏｐ  Ｐｕｂｌｉｓｈｉｎｇ）アプリケーションによって作成される。尚、共通部分の有無に関係なく各店舗毎にページデータが作成される。面付装置は、面付テンプレートにページデータの面付処理を行って刷版イメージデータを作成する。ＲＩＰ（Ｒａｓｔｅｒ  Ｉｍａｇｅ  Ｐｒｏｃｅｓｓｏｒ）装置は、ページデータに対してＲＩＰ処理を行いページ記述言語データをラスタデータに変換する。。ＣＴＰ（Ｃｏｍｐｕｔｅｒ  Ｔｏ  Ｐｌａｔｅ）では、刷版イメージデータに基づいて、ＲＩＰ処理されたページデータが刷版に出力される。
【０００３】
面付処理に関しては、予定データとページデータと仕様データに基づいて面付処理を行って刷版イメージデータを作成する自動面付装置が提案されている（例えば、［特許文献１］参照。）。
また、刷版上に配置する面付部品や配置基準を階層的に登録することにより、ページ配置位置やマーク配置位置の算出に係る労力的負担を軽減する面付システムが提案されている（例えば、［特許文献２］参照。）。
【０００４】
【特許文献１】特開２０００−３２６４７３号公報
【特許文献２】特開２００５−１２５６号公報
【発明の開示】
【発明が解決しようとする課題】
【０００５】
しかしながら、従来の面付装置は、ページデータを単位として面付処理を行い、各ページデータ間の共通の絵柄については一切考慮しない。従って、共通の絵柄の有無に関わらず、各ページデータを作成する必要があり、ページデータの作成に係る労力的負担や管理負担が増大するという問題点がある。刷版工程では、各ページデータ間に共通の絵柄が存在する場合であっても、各ページデータについてＲＩＰ処理を行う必要があり、処理時間が増大するという問題点がある。
また、ページデータの一部分のみを変更する場合であっても、ページデータ全体についてデータ更新を行う必要があるという問題点がある。
【０００６】
本発明は、以上の問題点に鑑みてなされたものであり、ページデータの作成や管理に係る負担を軽減すると共に面付工程や刷版工程における処理時間を軽減することを可能とする面付装置を提供することを目的とする。
【課題を解決するための手段】
【０００７】
前述した目的を達成するために第１の発明は、刷版または用紙に少なくとも１つのページを配置して面付を行う面付装置であって、前記ページを複数に分割した分割ページの配置位置をページ位置情報として登録するページ位置情報登録手段と、前記ページ位置情報に基づいて前記複数の分割ページの配置位置を同一ページに並べて設定して面付テンプレートを作成する面付テンプレート作成手段と、を具備することを特徴とする面付装置である。
【０００８】
第１の発明の面付装置は、ページを複数に分割した分割ページの配置位置をページ位置情報として登録し、ページ位置情報に基づいて複数の分割ページの配置位置を同一ページの範囲内に並べて設定して面付テンプレートを作成する。面付装置は、面付テンプレートの作成結果を表示する。面付装置は、この面付テンプレートに基づいて、各ページに複数の分割ページを並べて割り付ける。面付装置は、刷版イメージデータを作成して表示する。
【０００９】
分割ページは、ページを複数に分割したページデータである。分割ベージは、複数のページ間で共通の共通絵柄を含むページデータや、複数のページ間で異なる差替絵柄を有するページデータである。
【００１０】
第１の発明では、各ページにおいて分割ページ位置を設定して面付テンプレートを作成し、共通絵柄を有する１つの分割ページを用意して各ページの分割ページ位置に割り付ける。これにより、ページデータの管理負担を軽減させることができる。また、共通絵柄に関しては１つの分割ページのページデータについてのみ処理を行えばよいので、処理負荷や処理時間を軽減させることができる。特に、刷版工程においてＲＩＰ処理の所要時間を大幅に軽減することができる。また、取り扱うページデータの容量を小さくすることができページデータの授受を円滑に行うことができる。また、ページデータの作成を分割ページ毎に分業化して効率化を図ることができる。
【００１１】
尚、複数の分割ページを隣接配置することによりページを構成可能であれば、分割ページの数や位置やサイズは特に限定されない。
【００１２】
第２の発明は、刷版または用紙に少なくとも１つのページを配置して面付を行う面付方法であって、前記ページを複数に分割した分割ページの配置位置をページ位置情報として登録するページ位置情報登録ステップと、前記ページ位置情報に基づいて前記複数の分割ページの配置位置を同一ページに並べて設定して面付テンプレートを作成する面付テンプレート作成ステップと、を具備することを特徴とする面付方法である。
【００１３】
第２の発明は、刷版または用紙に少なくとも１つのページを配置して面付を行う面付方法に関する発明である。
【００１４】
第３の発明は、第１の発明の面付装置として機能させるプログラムである。
第４の発明は、第１の発明の面付装置として機能させるプログラムを記録したコンピュータ読み取り可能な記録媒体である。
尚、上記のプログラムをＣＤ−ＲＯＭ等の記録媒体に保持させて流通させてもよいし、このプログラムを通信回線を介して送受することもできる。
【発明の効果】
【００１５】
本発明によれば、ページデータの作成や管理に係る負担を軽減すると共に面付工程や刷版工程における処理時間を軽減することを可能とする面付装置を提供することができる。
【発明を実施するための最良の形態】
【００１６】
以下、添付図面を参照しながら、本発明の実施の形態に係る面付装置の好適な実施形態について詳細に説明する。なお、以下の説明及び添付図面において、略同一の機能構成を有する構成要素については、同一の符号を付することにより重複説明を省略することにする。
【００１７】
（１．面付装置１の構成）
最初に、図１を参照しながら、面付装置１の構成について説明する。
図１は、面付装置１の機能ブロック図である。
【００１８】
面付装置１は、分割ページ位置登録手段３、面付テンプレート作成手段７、分割ページ割付手段９、刷版イメージデータ作成手段１３、記憶部１５から構成される。尚、図１の面付装置１の構成は一例であり、様々な構成を採ることが可能である。
【００１９】
記憶部１５は、ハードディスクやメモリ等の記憶手段であり、一時的あるいは恒久的に情報を保持する。記憶部１５は、ページ位置情報１７、面付テンプレート１９、ページ割付情報２０、刷版イメージデータ２１を保持する。
ページ位置情報１７は、面付テンプレート１９におけるページの配置位置を示す情報である。
面付テンプレート１９は、刷版あるいは用紙におけるページの配置位置を示す情報である。
ページ割付情報２０は、面付テンプレート１９に配置されたページのページ番号とページデータとを対応付ける情報である。
刷版イメージデータ２１は、ページデータが割り付けられた面付テンプレート１９を１つの刷版のイメージデータとした情報である。
【００２０】
分割ページ位置登録手段３は、それぞれ、刷版あるいは用紙における分割ページの位置を登録する。登録された位置情報は、ページ位置情報１７として記憶部１５に保持される。
面付テンプレート作成手段７は、ページ位置情報１７に基づいて、分割ページの配置位置を示す面付テンプレート１９を作成する。
分割ページ割付手段９は、それぞれ、ページ割付情報２０に基づいて、面付テンプレート１９が示す所定の配置位置に分割ページのページデータを割り付ける。
刷版イメージデータ作成手段１３は、分割ページのページデータが割り付けられた面付テンプレート１９に基づいて刷版イメージデータ２１を作成する。
【００２１】
（２．ハードウェア構成）
次に、図２を参照しながら、面付装置１のハードウェア構成について説明する。
図２は、面付装置１のハードウェア構成図である。
尚、図２のハードウェア構成は一例であり、用途、目的に応じて様々な構成を採ることが可能である。
【００２２】
面付装置１は、ＣＰＵ３１、メモリ３２、記憶部３３、表示部３４、入力部３５、出力部３６、通信部３７等がシステムバス３８を介して接続されて構成される。
【００２３】
ＣＰＵ３１（Ｃｅｎｔｒａｌ  Ｐｒｏｃｅｓｓｉｎｇ  Ｕｎｉｔ）は、ハードディスク、ＲＯＭ、記録媒体等に格納される実行プログラム、ＯＳ（オペレーションシステム）のプログラム、アプリケーションプログラム等をメモリ３２のＲＡＭ上のワークメモリ領域に呼び出して実行し、演算処理（四則演算や比較演算等）、ハードウェアやソフトウェアの動作制御等を行い、後述する各種機能を実現する。
【００２４】
メモリ３２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部３３から読み出されたＯＳ（Ｏｐｅｒａｔｉｏｎ  Ｓｙｓｔｅｍ）のプログラム、アプリケーションプログラム等を記憶する。ＲＡＭは、ＣＰＵ３１の主メモリ、ワークエリア等として機能する。
【００２５】
記憶部３３は、各種データを記憶する装置であり、例えば、ハードディスクである。記憶部３３は、ＣＰＵ３１が実行するプログラム、プログラム実行に必要なデータ、ＯＳ、各種データベース等が格納される。
【００２６】
表示部３４は、ＣＲＴモニタ、液晶パネル等のディスプレイ装置、ディスプレイ装置と連携してコンピュータのビデオ機能を実現するための論理回路等（ビデオアダプタ等）を有する。
【００２７】
入力部３５は、各種データの入力装置であり、例えば、キーボード、マウスである。出力部３６は、各種データの出力装置であり、例えば、プリンタである。各種メディアとのデータ入出力を行うドライブ装置を入力部３５及び出力部３６として用いることもできる。
【００２８】
通信部３７は、ネットワーク１１を介して外部装置と接続・通信する通信制御装置である。例えば、ＴＣＰ／ＩＰを用いたインターネット通信が可能である。
【００２９】
システムバス３８は、面付装置１内の各装置間の制御信号、データ信号等の授受を媒介する経路であり、例えば、ＰＣＩ（Ｐｅｒｉｐｈｅｒａｌ  Ｃｏｍｐｏｎｅｎｔ  Ｉｎｔｅｒｃｏｎｎｅｃｔ）バス、ＡＧＰ（Ａｃｃｅｌｅｒａｔｅｄ  Ｇｒａｐｈｉｃｓ  Ｐｏｒｔ）バス、メモリバスである。
【００３０】
面付装置１は、記憶部３３に格納するプログラム（実行プログラム、ＯＳのプログラム等）をメモリ３２上にロードしてＣＰＵ３１の制御の下に、以下に示す各種処理を実行する。
【００３１】
（３．面付装置１の動作）
次に、図３〜図６を参照しながら、面付装置１の動作について説明する。
図３は、面付装置１の動作を示すフローチャートである。
【００３２】
面付装置１は、操作者の操作指示に基づいて、分割ページ５５（図６）の配置位置である分割ページ位置４５を登録する（ステップ１００１）。面付装置１は、分割ページ位置４５をページ位置情報１７として記憶部１５に保存する（ステップ１００２）。
【００３３】
面付装置１は、ページ位置情報１７に基づいて、刷版位置４２あるいは用紙位置４３に対して分割ページ位置４５を設定して面付テンプレート１９を作成する。面付装置１は、面付テンプレート１９を記憶部１５に保存する（ステップ１００３）。
【００３４】
図４は、面付テンプレート１９の一態様を示す図である。
ページ位置４４−１には、分割ページ位置４５−１（ページ番号「１」）〜分割ページ位置４５−５（ページ番号「５」）が隣接配置される。ページ位置４４−２には、分割ページ位置４５−６（ページ番号「６」）〜分割ページ位置４５−８（ページ番号「８」）が隣接配置される。
【００３５】
図３に戻り、面付装置１は、ページ割付情報２０に基づいて面付テンプレート１９に分割ページ５５を割り付ける（ステップ１００４）。面付装置１は、分割ページ５５が割り付けられた面付テンプレート１９に基づいて、刷版イメージデータ２１を作成して記憶部１５に保存する（ステップ１００５）。
【００３６】
図５は、ページ割付情報２０の一態様を示す図である。
ページ割付情報２０は、ページ番号２３とページデータ２４とを対応付ける情報である。ページ番号２３は、分割ページ位置４５のページ番号を示す。ページデータ２４は、分割ページ５５のページデータを示す。
図５のページ割付情報２０では、ページ番号「４」及びページ番号「８」には、同一の分割ページ５５−４のページデータ「Ａ．ｐｓ」が割り付けられる。ページ番号「１」〜ページ番号「３」には、それぞれ、分割ページ５５−１のページデータ「ａ０１．ｐｓ」〜分割ページ５５−３のページデータ「ａ０３．ｐｓ」が割り付けられる。ページ番号「５」〜ページ番号「７」には、それぞれ、分割ページ５５−５のページデータ「ａ０５．ｐｓ」〜分割ページ５５−７のページデータ「ａ０７．ｐｓ」が割り付けられる。
【００３７】
図６は、刷版イメージデータ２１の一態様を示す図である。
面付テンプレート１９のページ５４−１（ページ位置４４−１）には、分割ページ５５−１のページデータ（「ａ０１．ｐｓ」）〜分割ページ５５−５のページデータ（「ａ０５．ｐｓ」）が割り付けられる。分割ページ５５−１〜分割ページ５５−５は、互いに隣接配置されてページ５４−１を構成する。
面付テンプレート１９のページ５４−２（ページ位置４４−２）には、分割ページ５５−４のページデータ（「Ａ．ｐｓ」）及び分割ページ５５−６のページデータ（「ａ０６．ｐｓ」）及び分割ページ５５−７のページデータ（「ａ０７．ｐｓ」）が割り付けられる。分割ページ５５−４及び分割ページ５５−６及び分割ページ５５−７は、互いに隣接配置されてページ５４−２を構成する。
【００３８】
尚、分割ページ５５−４は、ページ５４−１及びページ５４−２の両方のページに割り付けられる。すなわち、ページ５４−１及びページ５４−２には、共通絵柄として分割ページ５５−４が配置される。
また、複数の分割ページ５５を隣接配置することによりページ５４を構成可能であれば、分割ページ５５の数や位置やサイズは特に限定されない。また、分割ページ５５は、ページ５４全体と比較してデータ容量が小さいので管理負担が軽減される。
【００３９】
以上の過程を経て、面付装置１は、１つのページ位置４４を複数の領域に分割し、各領域に分割ページ位置４５を設定して面付テンプレート１９を作成する。面付装置１は、この面付テンプレート１９の各分割ページ位置４５に分割ページ５５を割り付ける。
【００４０】
このように、本発明の実施形態に係る面付装置１では、各ページ５４毎にページ全体についてページデータを管理するのではなく、各ページ５４を複数の領域に分割して各分割領域毎にページデータを管理する。
従って、各ページ５４間で共通絵柄を配置する場合には、各ページ５４毎に共通絵柄のページデータを用意する必要はなく、各ページ位置４４において分割ページ位置４５を設定して面付テンプレート１９を作成し、共通絵柄を有する１つの分割ページ５５を用意して各ページ位置４４の分割ページ位置４５に割り付ければよい。これにより、ページデータの管理負担を軽減させることができる。また、共通絵柄に関しては１つの分割ページ５５のページデータについてのみ処理を行えばよいので、処理負荷や処理時間を軽減させることができる。特に、刷版工程においてＲＩＰ処理の所要時間を大幅に軽減することができる。また、取り扱うページデータの容量を小さくすることができページデータの授受を円滑に行うことができる。
【００４１】
従来の面付装置では、関連のある複数の店舗についてチラシを作成する場合、各店舗間で共通絵柄が存在する場合であっても、各店舗毎にページデータを作成する必要があったが、本発明の実施形態の面付装置１では、共通絵柄のページデータと店名や地図等の差替絵柄のページデータとを独立に作成して、面付工程において同一ページに隣接配置して割り付けることができる。
これにより、ページデータの作成を分割ベージ毎に分業化して効率化を図ることができる。また、ページデータの修正が必要な場合であっても、必要な部分についてのみ修正を行うことができる。例えば、共通絵柄に修正が生じた場合であっても、複数の店舗の全てのページデータについて修正する必要はなく、共通絵柄を有する１つの分割ページについて修正を行えばよい。差替絵柄に修正が生じた場合には、ページ全体について修正を行う必要はなく、差替絵柄を有する分割ページについて修正を行えばよい。
【００４２】
（４．その他）
上述の実施形態のでは、１枚の刷版あるいは用紙の表面に２ページ（表裏４ページ）を面付する場合について説明したが、面付ページ数は２ページに限定されず、例えば、４ページ、８ページ、１６ページを面付する場合も同様の処理により対応することができる。
【００４３】
以上、添付図面を参照しながら、本発明に係る面付装置の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４４】
【図１】面付装置１の機能ブロック図
【図２】面付装置１のハードウェア構成図
【図３】面付装置１の動作を示すフローチャート
【図４】面付テンプレート１９の一態様を示す図
【図５】ページ割付情報２０の一態様を示す図
【図６】刷版イメージデータ２１の一態様を示す図
【符号の説明】
【００４５】
１………面付装置
３………分割ページ位置登録手段
７………面付テンプレート作成手段
９………分割ページ割付手段
１３………刷版イメージデータ作成手段
１５………記憶部
１７………ページ位置情報
１９………面付テンプレート
２０………ページ割付情報
２１………刷版イメージデータ
３１………ＣＰＵ
３２………メモリ
３３………記憶部
３４………表示部
３５………入力部
３６………出力部
３７………通信部
３８………システムバス
４２………刷版位置
４３………用紙位置
４４………ページ位置
４５………分割ページ位置
５４………ページ
５５………分割ページ
【図１】
2008271277.tif 000003
【図２】
2008271277.tif 000004
【図３】
2008271277.tif 000005
【図４】
2008271277.tif 000006
【図５】
2008271277.tif 000007
【図６】
2008271277.tif 000008